(57)【特許請求の範囲】
【請求項１】
ＳＩＰアドレスが割り付けられている受信機にＩＰ網を用いてファクシミリ通信により画像を送信する通信装置であって、
送信先の宛先であるＳＩＰ−ＵＲＩを指定した送信指示を受け付ける宛先受付手段と、
前記宛先受付手段によって受け付けられた前記ＳＩＰ−ＵＲＩをＳＩＰ管理サーバーに送信し、前記ＳＩＰ管理サーバーから前記ＳＩＰ−ＵＲＩのコンタクトアドレスである前記ＳＩＰアドレスを受信するＳＩＰアドレス受信手段と、
送信条件の入力を受け付ける送信条件入力手段と、
前記ＳＩＰアドレス受信手段で受信した前記ＳＩＰアドレスが複数である場合に、当該ＳＩＰアドレスが割り付けられている前記受信機から機能を受信する機能受信手段とを具備し、
前記ＳＩＰアドレス受信手段で受信された複数の前記ＳＩＰアドレスの中で、前記送信条件を満たす機能を備える前記受信機に割り付けられている前記ＳＩＰアドレス宛にファクシミリ通信により画像を送信することを特徴とする通信装置。
【請求項２】
前記ＳＩＰアドレス受信手段により受信した前記ＳＩＰアドレスに対して優先順位が割り付けられている場合には、前記送信条件を満たす機能を備えた前記受信機の中で前記優先順位が一番高い前記ＳＩＰアドレスの前記受信機にファクシミリ通信により画像を送信することを特徴とする請求項１に記載の通信装置。
【請求項３】
前記ＳＩＰアドレス受信手段により受信した前記ＳＩＰアドレスに割り付けられている前記優先順位の高い順に、前記優先順位が割り付けられている前記ＳＩＰアドレスの受信機について前記送信条件を満たす機能を備えているかを判定し、前記送信条件を満たす機能を備えていると判定された前記受信機にファクシミリ通信により画像を送信することを特徴とする請求項２に記載の通信装置。
【請求項４】
前記ＳＩＰアドレス受信手段により受信した前記ＳＩＰアドレスの使用状態とファクシミリ通信状態を監視して前記ＳＩＰアドレスの使用回数と通信エラー回数をカウントし、前記使用回数と前記通信エラー回数に基づいて前記ＳＩＰアドレスに対して前記優先順位を割り付ける優先順位設定手段を備えることを特徴とする請求項２または請求項３に記載の通信装置。
【請求項５】
前記ＳＩＰアドレス受信手段により受信した前記ＳＩＰアドレスに割り付ける前記優先順位の入力を受け付ける優先順位受付手段を備えることを特徴とする請求項２または請求項３に記載の通信装置。
【請求項６】
前記受信機に前記画像を送信する前に送信許可の確認を行う送信許可確認手段を備えることを特徴とする請求項１から請求項５のいずれか一項に記載の通信装置。
【請求項７】
前記送信許可確認手段は、送信先の前記ＳＩＰアドレスと前記画像の画像プレビューを表示することを特徴とする請求項６に記載の通信装置。
【発明の詳細な説明】
【技術分野】
【０００１】
本発明は、ネットワークに接続されている通信装置に係り、特に送信側が設定する条件（以下、送信条件という）である通信機能（以下、機能という）を有する受信機に画像を送信する通信装置に関する。
【背景技術】
【０００２】
昨今用いられている通信装置は、通信装置から受信機に画像を送信するときに、受信機の機能を確認し、受信機の機能に合わせて画像を送信している。例えば、通信装置はＢ４サイズに対応できるが受信機がＡ４サイズとＡ３サイズしか対応できない場合には、通信装置からＢ４サイズの画像を読み込ませても、受信機はＢ４サイズで画像を出力することができない。このような場合では、通信装置がＢ４サイズの画像を自動的にＡ４サイズに縮小、またはＡ３サイズに拡大して受信機に送信する。また、特許文献１のファクシミリ装置では、受信側のファクシミリ装置と最初に通信を行うときには、送信側のファクシミリ装置が受信側のファクシミリ装置から機能情報を受信して記憶する。そして、原稿の画像を受信側のファクシミリ装置に送信する操作がユーザーにより行われた場合には、記憶している相手側ファクシミリ装置の機能情報を表示し、ユーザーが指定した機能で受信側のファクシミリ装置に画像を送信できる技術が開示されている。
【先行技術文献】
【特許文献】
【０００３】
【特許文献１】特開２００５−１０９７２７
【発明の概要】
【発明が解決しようとする課題】
【０００４】
しかしながら、特許文献１ではユーザーが指定した機能で原稿の画像をファクシミリ装置に送信して出力させることができるが、その指定がユーザーの意図するものとのは異なることがある。例えば、ユーザーはＢ４サイズの原稿をそのままＢ４サイズで送信して出力したいと所望していても、受信側のファクシミリ装置がＡ４サイズとＡ３サイズしか対応していないので、ユーザーはＢ４サイズの画像をＡ４サイズに縮小またはＡ３サイズに拡大のいずれかを指定しなければならない。つまりユーザーの意図とは異なる指定をしなければならない。仮に、受信側にはＢ４サイズに対応している別のファクシミリ装置が設置されていても、ユーザーはそのファクシミリ装置の存在を知らないので、意図するものとは異なる機能を指定しなければならない。また、受信側も原稿と異なるＡ４サイズに縮小されることで、原稿の文字や図が判別できなくなってしまった場合には、送信側に電話やメールなどで受信側のＢ４サイズに対応しているファクシミリ装置のＦＡＸ番号を連絡し、再送を依頼しなければならない。更に、このような連絡を受けた送信側も、再度送信操作を行わなければならない。このため、送信側と受信側のユーザーの両方に手間がかかり、また２回送信することで、更に通信料が課金されるという問題があった。
【０００５】
本発明はこのような状況に鑑みてなされたものであり、上記課題を解決できる通信装置を提供することを目的とする。
【課題を解決するための手段】
【０００６】
本発明の通信装置は、ＳＩＰアドレスが割り付けられている受信機にＩＰ網を用いてファクシミリ通信により画像を送信する通信装置であって、送信先の宛先であるＳＩＰ−ＵＲＩを指定した送信指示を受け付ける宛先受付手段と、前記宛先受付手段によって受け付けられた前記ＳＩＰ−ＵＲＩをＳＩＰ管理サーバーに送信し、前記ＳＩＰ管理サーバーから前記ＳＩＰ−ＵＲＩのコンタクトアドレスである前記ＳＩＰアドレスを受信するＳＩＰアドレス受信手段と、送信条件の入力を受け付ける送信条件入力手段と、前記ＳＩＰアドレス受信手段で受信した前記ＳＩＰアドレスが複数である場合に、当該ＳＩＰアドレスが割り付けられている前記受信機から機能を受信する機能受信手段とを具備し、前記ＳＩＰアドレス受信手段で受信された複数の前記ＳＩＰアドレスの中で、前記送信条件を満たす機能を備える前記受信機に割り付けられている前記ＳＩＰアドレス宛にファクシミリ通信により画像を送信することを特徴としている。
また、本発明の通信装置は、前記ＳＩＰアドレス受信手段により受信した前記ＳＩＰアドレスに対して優先順位が割り付けられている場合には、前記送信条件を満たす機能を備えた前記受信機の中で前記優先順位が一番高い前記ＳＩＰアドレスの前記受信機にファクシミリ通信により画像を送信することを特徴としている。
また、本発明の通信装置は、前記ＳＩＰアドレス受信手段により受信した前記ＳＩＰアドレスに割り付けられている前記優先順位の高い順に、前記優先順位が割り付けられている前記ＳＩＰアドレスの受信機について前記送信条件を満たす機能を備えているかを判定し、前記送信条件を満たす機能を備えていると判定された前記受信機にファクシミリ通信により画像を送信することを特徴としている。
また、本発明の通信装置は、前記ＳＩＰアドレス受信手段により受信した前記ＳＩＰアドレスの使用状態とファクシミリ通信状態を監視して前記ＳＩＰアドレスの使用回数と通信エラー回数をカウントし、前記使用回数と前記通信エラー回数に基づいて前記ＳＩＰアドレスに対して前記優先順位を割り付ける優先順位設定手段を備えることを特徴としている。
また、本発明の通信装置は、前記ＳＩＰアドレス受信手段により受信した前記ＳＩＰアドレスに割り付ける前記優先順位の入力を受け付ける優先順位受付手段を備えることを特徴としている。
また、本発明の通信装置は、前記受信機に前記画像を送信する前に送信許可の確認を行う送信許可確認手段を備えることを特徴としている。
また、本発明の通信装置の前記送信許可確認手段は、送信先の前記ＳＩＰアドレスと前画像の画像プレビューを表示することを特徴としている。
【発明の効果】
【０００７】
本発明の通信装置は、受信機の優先順位とその受信機が備えている機能に基づいて送信先の受信機を決定できるので、ユーザーの意図に従って画像を送信することができる。
【図面の簡単な説明】
【０００８】
【図１】本発明の実施形態に係る通信装置管理システムの構成を示す図である。
【図２】本発明の実施形態に係る通信装置の機能構成を示す図である。
【図３】本発明の実施形態に係る受信機情報登録テーブルの構成を示す図である。
【図４】本発明の実施形態に係る優先順位設定テーブルの構成を示す図である。
【図５】本発明の実施形態に係る画像送信処理を示すフローチャートである。
【図６】本発明の実施形態に係る優先順位設定画面のフォーマットを示す図である。
【図７】本発明の実施形態に係る送信許可確認画面のフォーマットを示す図である。
【図８】本発明の実施形態に係る変更送信許可確認画面のフォーマットを示す図である。
【発明を実施するための形態】
【０００９】
以下、本発明を実施するための形態（以下、「実施形態」という）について図面を参照して説明する。
【００１０】
本発明の実施形態に係る通信装置管理システム１の構成について、図１を用いて説明する。通信装置管理システム１は、図１に示すように通信装置１０、受信機グループ２０、受信機２１Ａ、及びＳＩＰ管理サーバー３０から構成され、これらはネットワーク４０に接続されている。通信装置１０は、ファクシミリ装置（以下、ＦＡＸ装置という）、又はファクシミリ機能を備えているプリンタ、ＭＦＰ（Multifunction Peripheral）、及び複合機等である。受信機グループ２０は、ファクシミリ機能を備えている受信機２０Ｘ、受信機２０Ｙ、及び受信機２０Ｚから構成され、各々の受信機は通信装置１０から送信される画像を受信することができる。受信機２１Ａは、ファクシミリ機能を備えている受信機であり、通信装置１０から送信される画像を受信することができる。ＳＩＰ管理サーバー３０は、ＳＩＰ（Session Initiation Protocol：セッション確立プロトコル）により電話やインスタントメッセンジャーのような、1対1あるいは複数を一まとまりとする通信の開始や完了を制御するときに使用されるＳＩＰ−ＵＲＩ（ＳＩＰ−Uniform Resource Identifier：ＳＩＰ通信リソース識別子）を管理する。ＳＩＰ−ＵＲＩはＳＩＰアドレスにＳＩＰプロトコルを示す「sip:」を前に付けた形式であり、ＳＩＰアドレスは、Ｅ−ｍａｉｌアドレスと同様に「ユーザー名@ドメイン名」の形式となっている。例えば「sip:iadr@jptk.co.jp」というＵＲＩは、「jptk.co.jp」の「iadr」というＳＩＰの宛先を示す。また、ＳＩＰ−ＵＲＩは特定の機器の宛先だけでなく、１つのグループの宛先にもなる。ＳＩＰ管理サーバー３０は、このようなＳＩＰ−ＵＲＩを管理するので、通信装置１０から受信機グループ２０のＳＩＰ−ＵＲＩを受信すると、その受信機グループ２０に属するＳＩＰ−ＵＲＩのＳＩＰアドレス（以下、コンタクトアドレスという）を通信装置１０に送信する。また、ＳＩＰ管理サーバー３０が、通信装置１０からグループでない受信機２１ＡのＳＩＰ−ＵＲＩを受信すると、その受信機２１ＡのＳＩＰ−ＵＲＩのＳＩＰアドレスを送信する。ネットワーク４０は、インターネットやイントラネット等の例えばＩＰネットワークである。図１に示す通信装置管理システム１においては、１台の通信装置１０、1つの受信機グループ２０、及び１台の受信機２１Ａをネットワーク４０に接続する構成としているが、実際には、複数の通信装置１０、複数の受信機グループ、及び複数の受信機がネットワーク４０に接続されている。
【００１１】
次に、本発明の実施形態に係る送信側の通信装置１０の主要な機能について、図２を用いて説明する。通信装置１０は、制御部１１０と、補助記憶部１２０、データ保存部１３０、操作パネル１４０、操作パネル処理部１５０、原稿読取部１６０、画像処理部１７０、及びネットワーク通信部１８０等を備えている。制御部１１０と、補助記憶部１２０、データ保存部１３０、操作パネル処理部１５０、画像処理部１７０、及びネットワーク通信部１８０は、バス１９０により接続されている。
【００１２】
制御部１１０は、ＲＡＭやＲＯＭ等の主記憶手段、及びＭＰＵ(Micro Processing Unit)やＣＰＵ(Central Processing Unit)等の制御手段を備えている。また、制御部１１０は、各種Ｉ／Ｏや、ＵＳＢ（ユニバーサル・シリアル・バス）等のインターフェース、バスコントローラ等を含む総合的な通信装置１０のコントロールを行う。制御部１１０には、優先順位と機能により送信先を決定して画像を送信する画像送信処理部１１０ａと、送信先とのＳＩＰアドレスの使用状態とＳＩＰ通信状態を監視し、ＳＩＰアドレスの使用回数と通信エラー回数をカウントするＳＩＰ監視処理部１１０ｂを備えている。画像送信処理部１１０ａが実行する画像送信処理については、後述する。
【００１３】
補助記憶部１２０は、フラッシュメモリ等からなる補助記憶装置で、制御部１１０が実行する処理のプログラムやデータを記憶する。補助記憶部１２０には、図３に示す受信機情報登録テーブル１２０ａと図４に示す優先順位設定テーブル１２０ｂが記憶されている。受信機情報登録テーブル１２０ａと優先順位設定テーブル１２０ｂの構成については、後述する。
【００１４】
データ保存部１３０は、データやプログラムを保存するハードディスクドライブである。データ保存部１３０には、原稿読取部１６０から読み取った画像やネットワーク通信部１８０が受信した画像を保存する画像データ保存エリア１３０ａを備えている。
【００１５】
操作パネル１４０は、操作画面の表示とユーザーによる操作を受け付ける。操作パネル１４０には、図６に示す優先順位設定画面２００や図７に示す送信許可確認画面３００を表示することができる。
【００１６】
操作パネル処理部１５０は、通信装置１０が備えている機能の操作項目を操作パネル１４０に表示する処理、及び操作パネル１４０からユーザーの操作を入力する処理、及び出力する画像イメージ（以下、画像プレビューという）を表示する処理を行う。
【００１７】
原稿読取部１６０は、ユーザーが操作パネル１４０から読み取り操作を行うと、通信装置１０の原稿台にセットされた原稿の読み取りを行い、画像に変換して画像処理部１７０に出力する。
【００１８】
画像処理部１７０は、原稿読取部１６０から画像を入力すると、印刷可能な画像イメージやＦＡＸやメールで送信可能なイメージのデータに変換し、制御部１１０に出力する。
を行う。
【００１９】
ネットワーク通信部１８０は、ネットワーク４０に接続するための、着脱可能なＬＡＮインターフェースを備えている。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２０】
次に、図３に示す受信機情報登録テーブル１２０ａの構成について説明する。受信機情報登録テーブル１２０ａは、通信装置１０がＳＩＰ管理サーバー３０から取得した受信機グループ２０のコンタクトアドレスであるＳＩＰアドレスと受信機２１ＡのＳＩＰアドレスなどが登録されるテーブルである。受信機情報登録テーブル１２０ａは、図３に示すように「Ｎｏ」、「ＳＩＰアドレス」、「使用回数」、「通信エラー回数」の項目から構成されている。「Ｎｏ」は、受信機毎に昇順に付けられている番号である。「ＳＩＰアドレス」は、受信機毎に割り付けられているＳＩＰの宛先である。「使用回数」には、「ＳＩＰアドレス」をあて先として使用した回数が設定され、制御部１１０のＳＩＰ監視処理部１１０ｂにより更新される。「通信エラー回数」には、「ＳＩＰアドレス」に画像を送信することで通信エラーが発生した場合にその通信エラーの回数が設定され、制御部１１０のＳＩＰ監視処理部１１０ｂにより更新される。この「使用回数」と「通信エラー回数」の情報は、受信機グループ２０に画像を送信するときに、受信機グループ２０の受信機２０Ｘ、受信機２０Ｙ、及び受信機２０Ｚの優先順位を決定するときに使用される。
【００２１】
次に、優先順位設定テーブル１２０ｂの構成について、図４を用いて説明する。優先順位設定テーブル１２０ｂは、通信装置１０がＳＩＰ管理サーバー３０から取得した受信機グループ２０の「ＳＩＰアドレス」に対する「優先順位」が登録されるテーブルである。優先順位設定テーブル１２０ｂは、図４に示すように「優先順位（Ｉ）」と「ＳＩＰアドレス」の項目から構成されている。「優先順位（Ｉ）」は、ＳＩＰ管理サーバー３０から取得した受信機グループ２０の「ＳＩＰアドレス」に対して、自動または手動で設定される優先順位である。「ＳＩＰアドレス」は、通信装置１０がＳＩＰ管理サーバー３０から取得した受信機グループ２０の受信機２０Ｘ、受信機２０Ｙ、及び受信機２０Ｚに割り付けられているＳＩＰアドレスである。
【００２２】
次に、本発明の実施形態に係る制御部１１０の画像送信処理部１１０ａが実行する画像送信処理の流れを図５に示す。
【００２３】
ユーザーが通信装置１０の画像の送信を行うために、まず操作パネル１４０から送信先の宛先である受信機グループ２０の「ＳＩＰ−ＵＲＩ」を指定すると、操作パネル処理部１５０が操作パネル１４０から「ＳＩＰ−ＵＲＩ」を入力し、制御部１１０に出力する。制御部１１０は、操作パネル処理部１５０から「ＳＩＰ−ＵＲＩ」を入力すると画像送信処理部１１０ａを起動する。画像送信処理部１１０ａが起動されると、画像データ送信処理を開始する。以下、図５に示す画像送信処理のステップ順に説明する。
【００２４】
（ステップＳ１０）
まず、画像送信処理部１１０ａは、送信先の宛先である受信機グループ２０の「ＳＩＰ−ＵＲＩ」を入力する。例えば、受信機グループ２０の「ＳＩＰ−ＵＲＩ」が「rcg20＠west.net」であれば、「rcg20＠west.net」を入力する。
【００２５】
（ステップＳ２０）
次いで、画像送信処理部１１０ａは、ステップＳ１０で取り出した受信機グループ２０の「ＳＩＰ−ＵＲＩ」を、ネットワーク通信部１８０を経由してＳＩＰ管理サーバー３０に送信し、受信機グループ２０の「ＳＩＰ−ＵＲＩ」のコンタクトアドレスである「ＳＩＰアドレス」をＳＩＰ管理サーバー３０から受信する。例えば、ＳＩＰ管理サーバー３０に受信機グループ２０の「ＳＩＰ−ＵＲＩ」である「rcg20＠west.net」を送信すると、「rcg20＠west.net」のコンタクトアドレスである受信機２０Ｘの「ＸＸＸＸ−ＸＸＸＸ＠west.net；user＝fax」、受信機２０Ｙの「ＹＹＹＹ−ＹＹＹＹ＠west.net；user＝fax」、及び受信機２０Ｚの「ＺＺＺＺ−ＺＺＺＺ＠west.net；user＝fax」の「ＳＩＰアドレス」がＳＩＰ管理サーバー３０から送信される。
【００２６】
（ステップＳ３０）
次いで、画像送信処理部１１０ａは、ステップＳ２０で取得した「ＳＩＰアドレス」を補助記憶部１２０の優先順位設定テーブル１２０ｂに設定する。例えば、ステップＳ２０において「ＳＩＰアドレス」として、「ＸＸＸＸ−ＸＸＸＸ＠west.net；user＝fax」、「ＹＹＹＹ−ＹＹＹＹ＠west.net；user＝fax」、及び「ＺＺＺＺ−ＺＺＺＺ＠west.net；user＝fax」が取得されると、これらの情報が優先順位設定テーブル１２０ｂに設定される。
【００２７】
（ステップＳ４０）
次いで、画像送信処理部１１０ａは、ステップＳ２０で取得した「ＳＩＰアドレス」が複数であるかを判定する。「ＳＩＰアドレス」が複数であるとき(ステップＳ４０のＹｅｓ)は、自動で優先順位の設定が可能かを判定するステップＳ５０に進む。また、「ＳＩＰアドレス」が１つであるとき(ステップＳ４０のＮｏ)は、取得した「ＳＩＰアドレス」に優先順位「１」を設定するステップＳ９０に進む。
【００２８】
（ステップＳ５０）
ステップＳ４０のＹｅｓにおいて、画像送信処理部１１０ａは、ステップＳ２０で取得した「ＳＩＰアドレス」に対して、自動で優先順位の設定が可能かを判定する。つまり、自動での優先順位の設定は、受信機情報登録テーブル１２０ａの「使用回数」と「通信エラー回数」に基づいて行われるため、ステップＳ２０で取得した「ＳＩＰアドレス」が受信機情報登録テーブル１２０ａに登録されているかを判定する。自動で優先順位の設定が可能であるとき(ステップＳ５０のＹｅｓ)は、取得した「ＳＩＰアドレス」に対して自動で優先順位を設定するステップＳ６０に進む。また、自動で優先順位の設定が可能でないとき(ステップＳ５０のＮｏ)は、手動で優先順位を設定するステップＳ７０に進む。
【００２９】
（ステップＳ６０）
ステップＳ５０のＹｅｓにおいて、画像送信処理部１１０ａは、ステップＳ２０で取得した「ＳＩＰアドレス」に対応する受信機情報登録テーブル１２０ａの「使用回数」と「通信エラー回数」に基づいて優先順位を決定する。例えば、ステップＳ２０で取得した「ＳＩＰアドレス」が「ＸＸＸＸ−ＸＸＸＸ＠west.net；user＝fax」、「ＹＹＹＹ−ＹＹＹＹ＠west.net；user＝fax」、及び「ＺＺＺＺ−ＺＺＺＺ＠west.net；user＝fax」であれば、受信機情報登録テーブル１２０ａの「ＸＸＸＸ−ＸＸＸＸ＠west.net；user＝fax」に対応する「使用回数」の「ｕ7」と「通信エラー回数」の「ｅ7」、「ＹＹＹＹ−ＹＹＹＹ＠west.net；user＝fax」に対応する「使用回数」の「ｕ8」と「通信エラー回数」の「ｅ8」、及び「ＺＺＺＺ−ＺＺＺＺ＠west.net；user＝fax」に対応する「使用回数」の「ｕ9」と「通信エラー回数」の「ｅ9」に基づいて優先順位が決定される。「使用回数」と「通信エラー回数」による優先順位の決定方法としては、「使用回数」の多い順に優先順位を決定して「使用回数」が同じであるときに「通信エラー回数」が少ない方の優先順位を高くする方法、「通信エラー回数」の少ない順に優先順位を決定して「通信エラー回数」が同じであるときに「使用回数」が多い方の優先順位を高くする方法、又は「使用回数」と「通信エラー回数」を組み合わせて優先順位を決定する方法などがある。そして、画像送信処理部１１０ａは、決定した優先順位を優先順位設定テーブル１２０ｂの「ＳＩＰアドレス」に対応する「優先順位」に設定する。例えば、「ＺＺＺＺ−ＺＺＺＺ＠west.net；user＝fax」が優先順位「１」に決定すると、図４に示す優先順位設定テーブル１２０ｂの「ＳＩＰアドレス」の「ＺＺＺＺ−ＺＺＺＺ＠west.net；user＝fax」に対応する「優先順位」に「１」が設定される。
【００３０】
（ステップＳ７０）
ステップＳ５０のＮｏにおいて、画像送信処理部１１０ａは、ステップＳ２０で取得した「ＳＩＰアドレス」を図６に示す優先順位設定画面２００に設定して、操作パネル処理部１５０を経由して操作パネル１４０に表示する。また、画像送信処理部１１０ａは、ステップＳ２０で取得した「ＳＩＰアドレス」が受信機情報登録テーブル１２０ａに登録されていないものについては、新規としてその「ＳＩＰアドレス」を受信機情報登録テーブル１２０ａに登録する。例えば、ステップＳ２０で取得した「ＳＩＰアドレス」が「ＸＸＸＸ−ＸＸＸＸ＠west.net；user＝fax」、「ＹＹＹＹ−ＹＹＹＹ＠west.net；user＝fax」、及び「ＺＺＺＺ−ＺＺＺＺ＠west.net；user＝fax」であり、これらの情報が図３に示す受信機情報登録テーブル１２０ａに登録されていない場合には、新規の「ＳＩＰアドレス」として図６に示す優先順位設定画面２００に表示され「優先順位」が設定される。また、これらの新規の「ＳＩＰアドレス」は、受信機情報登録テーブル１２０ａに登録される。
【００３１】
（ステップＳ８０）
次いで、ユーザーが操作パネル１４０に表示された優先順位設定画面２００から優先順位を設定すると、画像送信処理部１１０ａは、操作パネル処理部１５０を経由して優先順位を入力する。そして、画像送信処理部１１０ａは、入力した優先順位を優先順位設定テーブル１２０ｂの「ＳＩＰアドレス」に対応する「優先順位」に設定する。
【００３２】
（ステップＳ９０）
ステップＳ４０のＮｏにおいて、画像送信処理部１１０ａは、「ＳＩＰアドレス」が１つである場合には、ステップＳ２０で取得した「ＳＩＰアドレス」の優先順位が「１」となるので、優先順位設定テーブル１２０ｂには１つの「ＳＩＰアドレス」が設定され、この「ＳＩＰアドレス」の「優先順位」に「１」を設定する。
【００３３】
（ステップＳ１００）
次いで、画像送信処理部１１０ａが操作パネル処理部１５０を経由して操作パネル１４０に、送信条件と原稿の読み取り操作を要求するメッセージを出力すると、ユーザーが操作パネル１４０から送信条件の設定操作と、原稿の読み取り操作を行う。画像送信処理部１１０ａは、操作パネル１４０から設定された送信条件を、操作パネル処理部１５０を経由して入力する。また、画像送信処理部１１０ａは、原稿読取部１６０により読み取られた原稿の画像を、画像処理部１７０を経由して入力する。
【００３４】
（ステップＳ１１０）
次いで、画像送信処理部１１０ａは、優先順位（Ｉ）に初期値「１」を設定する。
【００３５】
（ステップＳ１２０）
次いで、画像送信処理部１１０ａは、優先順位設定テーブル１２０ｂの「優先順位」に優先順位（Ｉ）が設定されているかを判定する。優先順位（Ｉ）が設定されているとき(ステップＳ１２０のＹｅｓ)は、優先順位（Ｉ）に対応する「ＳＩＰアドレス」の受信機から機能を受信するステップＳ１３０に進む。また、優先順位（Ｉ）が設定されていないとき(ステップＳ１２０のＮｏ)は、画像送信処理部１１０ａは、画像データ送信処理を終了する。
【００３６】
（ステップＳ１３０）
ステップＳ１２０のＹｅｓにおいて、画像送信処理部１１０ａは、優先順位（Ｉ）の「ＳＩＰアドレス」の受信機とのセッションを確立し、優先順位（Ｉ）の「ＳＩＰアドレス」の受信機から機能を受信する。
【００３７】
（ステップＳ１４０）
次いで、画像送信処理部１１０ａは、ユーザーが設定した送信条件に対応する機能を優先順位（Ｉ）の「ＳＩＰアドレス」の受信機が備えているかをチェックする。優先順位（Ｉ）の「ＳＩＰアドレス」の受信機が機能を備えているとき(ステップＳ１４０のＹｅｓ)は、送信許可確認画面３００を表示するステップＳ１５０に進む。優先順位（Ｉ）の「ＳＩＰアドレス」の受信機が機能を備えていないとき(ステップＳ１４０のＮｏ)は、優先順位（Ｉ）を更新するステップＳ１８０に進む。
【００３８】
（ステップＳ１５０）
ステップＳ１４０のＹｅｓにおいて、画像送信処理部１１０ａは、優先順位（Ｉ）、優先順位（Ｉ）の受信機の「ＳＩＰアドレス」、及び送信する画像のプレビューを図７に示す送信許可確認画面３００に設定して、操作パネル処理部１５０を経由して操作パネル１４０に表示する。例えば、優先順位設定テーブル１２０ｂの「優先順位（Ｉ）」が「３」で、「ＳＩＰアドレス」が「ＹＹＹＹ−ＹＹＹＹ＠west.net；user＝fax」である受信機２０Ｙが機能を備えていれば、送信許可確認画面３００には、優先順位「３」と「ＳＩＰアドレス」の「ＹＹＹＹ−ＹＹＹＹ＠west.net；user＝fax」が表示される。
【００３９】
（ステップＳ１６０）
次いで、ユーザーが操作パネル１４０に表示された送信許可確認画面３００から送信を許可する「はい」または送信を許可しない「いいえ」を設定すると、画像送信処理部１１０ａは、操作パネル処理部１５０を経由して「はい」が設定されたかを判定する。「はい」の送信を許可するが設定されたとき(ステップＳ１６０のＹｅｓ)は、優先順位（Ｉ）の「ＳＩＰアドレス」の受信機に画像を送信するステップＳ１７０に進む。また、「いいえ」の送信を許可しないが設定されたとき(ステップＳ１６０のＮｏ)は、優先順位（Ｉ）を更新するステップＳ１８０に進む。
【００４０】
（ステップＳ１７０）
ステップＳ１６０のＹｅｓにおいて、画像送信処理部１１０ａは、優先順位（Ｉ）の「ＳＩＰアドレス」の受信機に画像を送信する。また、画像送信処理部１１０ａは、画像の送信を完了すると、操作パネル処理部１５０を経由して操作パネル１４０に「送信終了」を表示し、画像データ送信処理を終了する。
【００４１】
（ステップＳ１８０）
ステップＳ１４０のＮｏとステップＳ１６０のＮｏにおいて、画像送信処理部１１０ａは、優先順位（Ｉ）に「１」を加算してステップＳ１２０に戻る。
【００４２】
なお、自動での優先順位の決定は、受信機情報登録テーブル１２０ａの「使用回数」と「通信エラー回数」の両方の情報を用いて決定するようにしたが、どちらか一方でもよい。また、これらの情報だけでなく、通信装置１０が採取できるあらゆる情報に基づいて優先順位を決定することが可能である。また、画像送信処理において、全ての受信機が送信条件の機能を備えていない場合には、画像送信処理を終了するのでなく、「優先順位（Ｉ）」が「１」のＳＩＰアドレスの受信機に画像を送信するようにすることも可能である。更に、受信機グループ２０の中から送信条件に最も近い機能を備えている受信機に画像を送信することも可能である。この場合には、最も近い機能を備えている受信機の「ＳＩＰアドレス」、送信条件の変更内容、及び送信する画像のプレビューを図８に示す変更送信許可確認画面４００に設定して、操作パネル１４０に表示することも可能である。
【００４３】
このような本発明の通信装置によれば、優先順位と受信機の機能により送信先の受信機を決定することができる。また、送信する前に指定した送信条件を受信機が備えているかの確認と、受信機に送信する画像のプレビューを表示することができる。また、優先順位をＳＩＰアドレスの使用回数に基づいて決定することで、使用回数が増加するＳＩＰアドレスの受信機については、優先順位を上げることができる。また、優先順位を「通信エラー回数」に基づいて決定することで、通信エラーが増加するＳＩＰアドレスの受信機については、優先順位を下げることができる。また、受信機に意図しない画像が送信される回数が減少するので、再送による送信側と受信側のユーザーの手間や再送による通信料を削減することができる。
【００４４】
具体的な実施の形態により本発明を説明したが、上記実施の形態は本発明の例示であり、この実施の形態に限定されないことは言うまでもない。
【産業上の利用可能性】
【００４５】
本発明は、画像を送受信する通信装置に好適であるが、通信装置に限られるものではなく、データの送受信を行う装置一般に適用可能である。
【符号の説明】
【００４６】
１・・・・・通信装置管理システム
１０・・・・・通信装置
２０・・・・・受信機グループ
２０Ｘ・・・・受信機
２０Ｙ・・・・受信機
２０Ｚ・・・・受信機
２１Ａ・・・・受信機
３０・・・・・ＳＩＰ管理サーバー
４０・・・・・ネットワーク
１１０・・・・・制御部
１１０ａ・・・・画像送信処理部
１１０ｂ・・・・ＳＩＰ監視処理部
１２０・・・・・補助記憶部
１２０ａ・・・・受信機情報登録テーブル
１２０ｂ・・・・優先順位設定テーブル
１３０・・・・・データ保存部
１３０ａ・・・・画像データ保存エリア
１４０・・・・・操作パネル
１５０・・・・・操作パネル処理部
１６０・・・・・原稿読取部
１７０・・・・・画像処理部
１８０・・・・・ネットワーク通信部
１９０・・・・・バス
２００・・・・・優先順位設定画面
３００・・・・・送信許可確認画面
４００・・・・・変更送信許可確認画面
【図１】
0005622281.tif 000002
【図２】
0005622281.tif 000003
【図３】
0005622281.tif 000004
【図４】
0005622281.tif 000005
【図５】
0005622281.tif 000006
【図６】
0005622281.tif 000007
【図７】
0005622281.tif 000008
【図８】
0005622281.tif 000009